(57)【要約】【課題】端末装置のアクティブ状態の判定を効果的に行うことができる通信制御装置などを提供する。【解決手段】通信制御装置は、通信装置と端末装置との通信の接続を切断することを判定するために用いられるパラメータについて、前記通信装置と前記端末装置との間で通信される信号に基づいて、前記パラメータの現状の値から変更した値について期待される通信トラヒック量を演算し、演算された前記期待される通信トラヒック量に基づいて、前記パラメータの値を決定する決定部、を備える。【選択図】図１
2016086303.tif 000002
【特許請求の範囲】
【請求項１】
通信装置と端末装置との通信の接続を切断することを判定するために用いられるパラメータについて、前記通信装置と前記端末装置との間で通信される信号に基づいて、前記パラメータの現状の値から変更した値について期待される通信トラヒック量を演算し、演算された前記期待される通信トラヒック量に基づいて、前記パラメータの値を決定する決定部、
を備える通信制御装置。
【請求項２】
前記決定部は、前記パラメータの値を、複数の前記端末装置に共通な前記パラメータの値として決定する、
請求項１に記載の通信制御装置。
【請求項３】
前記決定部は、
複数の前記端末装置のそれぞれについて、前記パラメータの現状の値における前記端末装置のアクティブ状態の時間を第１の時間として演算し、前記パラメータの変更した値における前記端末装置のアクティブ状態の時間を第２の時間として演算し、前記パラメータの変更した値における前記端末装置のアクティブ状態の時間における通信トラヒック量を演算し、
前記複数の前記端末装置について、前記第１の時間の合計、前記第２の時間の合計および前記通信トラヒック量の合計を演算し、
（前記第１の時間の合計／前記第２の時間の合計）に基づく値と前記通信トラヒック量の合計とを乗じた結果の値を、前記期待される通信トラヒック量とする、
請求項１または請求項２のいずれか１項に記載の通信制御装置。
【請求項４】
前記決定部は、（前記第１の時間の合計／前記第２の時間の合計）を演算し、
前記端末装置から送信される所定の信号について、［｛（前記通信装置から応答の送信があった前記端末装置の数）＋（前記通信装置から応答の送信がなかった前記端末装置の数）｝／（前記通信装置から応答の送信があった前記端末装置の数）］を演算し、
これら２つの演算結果のうちの小さい方を、（前記第１の時間の合計／前記第２の時間の合計）に基づく値とする、
請求項３に記載の通信制御装置。
【請求項５】
前記通信装置と前記端末装置との間で通信される信号を取得する信号取得部を備える、
請求項１から請求項４のいずれか１項に記載の通信制御装置。
【請求項６】
前記決定部により決定された前記パラメータの値に基づいて、前記通信装置と前記端末装置との通信を管理する端末管理部と、
前記通信装置により行われる前記端末装置との通信を制御する通信制御部と、を備える、
請求項１から請求項５のいずれか１項に記載の通信制御装置。
【請求項７】
前記パラメータは、前記通信装置と前記端末装置との通信の接続を切断することを判定するために用いられる無通信時間である、
請求項１から請求項６のいずれか１項に記載の通信制御装置。
【請求項８】
当該通信制御装置は、前記通信装置と一体である、
請求項１から請求項７のいずれか１項に記載の通信制御装置。
【請求項９】
端末装置と、通信装置と、前記通信装置と一体または別体の通信制御装置を有し、
前記通信制御装置は、前記通信装置と前記端末装置との通信の接続を切断することを判定するために用いられるパラメータについて、前記通信装置と前記端末装置との間で通信される信号に基づいて、前記パラメータの現状の値から変更した値について期待される通信トラヒック量を演算し、演算された前記期待される通信トラヒック量に基づいて、前記パラメータの値を決定する、
通信システム。
【請求項１０】
通信装置と端末装置との通信の接続を切断することを判定するために用いられるパラメータについて、前記通信装置と前記端末装置との間で通信される信号に基づいて、前記パラメータの現状の値から変更した値について期待される通信トラヒック量を演算し、演算された前記期待される通信トラヒック量に基づいて、前記パラメータの値を決定する、
通信制御方法。
【請求項１１】
通信装置と端末装置との通信の接続を切断することを判定するために用いられるパラメータについて、前記通信装置と前記端末装置との間で通信される信号に基づいて、前記パラメータの現状の値から変更した値について期待される通信トラヒック量を演算し、演算された前記期待される通信トラヒック量に基づいて、前記パラメータの値を決定するステップ、
をコンピュータに実行させるための通信制御プログラム。
【発明の詳細な説明】
【技術分野】
【０００１】
本発明は、通信制御装置、通信システム、通信制御方法および通信制御プログラムに関する。
【背景技術】
【０００２】
Ｗｉ−Ｆｉ（登録商標）では、アクセスポイント（ＡＰ：Ａｃｃｅｓｓ  Ｐｏｉｎｔ）装置において、端末装置（ＳＴＡ：Ｓｔａｔｉｏｎ）のアクティブ状態の管理を行う（非特許文献１参照。）。具体的には、ＡＰ装置は、設定された値に相当する時間（一定時間であり、以降でインアクティブタイムアウト（ＩｎＡｃｔｉｖｅＴｉｍｅｏｕｔ）と呼ぶ。）内でデータ通信を行っているとみなされる端末装置をアクティブ状態の端末装置であると判定し、他の端末装置をアクティブでない端末装置であると判定する。
【先行技術文献】
【非特許文献】
【０００３】
【非特許文献１】IEEE Std 802.11-2007、“IEEE Standard for Information technology-Telecommunications and information exchange between systems-Local and metropolitan area networks-Specific requirements,Part 11:Wireless LAN Medium Access Control(MAC) and Physical Layer(PHY) Specifications"
【発明の概要】
【発明が解決しようとする課題】
【０００４】
ＡＰ装置への接続を試みる端末装置が増加すると、ＡＰ装置において管理するアクティブ状態の端末装置の数が上限値に達し、ＡＰ装置と通信することができる端末装置が制限されてしまい、十分なオフロード効果（例えば、セルラーからＷｉ−Ｆｉへのオフロードの効果）が得られなかった。
【０００５】
ＩｎＡｃｔｉｖｅＴｉｍｅｏｕｔの設定値が大きい場合には、ＡＰ装置と通信していないのにアクティブ状態となっている端末装置が多く発生し、オフロード効果が小さくなる。
一方、ＩｎＡｃｔｉｖｅＴｉｍｅｏｕｔの設定値が小さい場合には、ＡＰ装置と端末装置との間で通信すべき継続するフレームがあるにも関わらず、一時的にフレームが空いた際に通信接続が切断されてしまい、再接続を実行する必要があり、再接続に関する信号の通信によって無線リソースを無駄に消費してしまう。また、通信接続の切断により通信が途切れてしまう。
【０００６】
本発明は、このような事情を考慮してなされたもので、端末装置のアクティブ状態の判定を効果的に行うことができる通信制御装置、通信システム、通信制御方法および通信制御プログラムを提供することを課題とする。
【課題を解決するための手段】
【０００７】
（１）上記の課題を解決するために、本発明の一態様に係る通信制御装置は、通信装置と端末装置との通信の接続を切断することを判定するために用いられるパラメータについて、前記通信装置と前記端末装置との間で通信される信号に基づいて、前記パラメータの現状の値から変更した値について期待される通信トラヒック量を演算し、演算された前記期待される通信トラヒック量に基づいて、前記パラメータの値を決定する決定部、を備える。
【０００８】
（２）本発明の一態様は、上記した（１）に記載の通信制御装置において、前記決定部は、前記パラメータの値を、複数の前記端末装置に共通な前記パラメータの値として決定する、構成が用いられてもよい。
【０００９】
（３）本発明の一態様は、上記した（１）または上記した（２）のいずれか１つに記載の通信制御装置において、前記決定部は、複数の前記端末装置のそれぞれについて、前記パラメータの現状の値における前記端末装置のアクティブ状態の時間を第１の時間として演算し、前記パラメータの変更した値における前記端末装置のアクティブ状態の時間を第２の時間として演算し、前記パラメータの変更した値における前記端末装置のアクティブ状態の時間における通信トラヒック量を演算し、前記複数の前記端末装置について、前記第１の時間の合計、前記第２の時間の合計および前記通信トラヒック量の合計を演算し、（前記第１の時間の合計／前記第２の時間の合計）に基づく値と前記通信トラヒック量の合計とを乗じた結果の値を、前記期待される通信トラヒック量とする、構成が用いられてもよい。
【００１０】
（４）本発明の一態様は、上記した（３）に記載の通信制御装置において、前記決定部は、（前記第１の時間の合計／前記第２の時間の合計）を演算し、前記端末装置から送信される所定の信号について、［｛（前記通信装置から応答の送信があった前記端末装置の数）＋（前記通信装置から応答の送信がなかった前記端末装置の数）｝／（前記通信装置から応答の送信があった前記端末装置の数）］を演算し、これら２つの演算結果のうちの小さい方を、（前記第１の時間の合計／前記第２の時間の合計）に基づく値とする、構成が用いられてもよい。
【００１１】
（５）本発明の一態様は、上記した（１）または上記した（４）のいずれか１つに記載の通信制御装置において、前記通信装置と前記端末装置との間で通信される信号を取得する信号取得部を備える、構成が用いられてもよい。
【００１２】
（６）本発明の一態様は、上記した（１）または上記した（５）のいずれか１つに記載の通信制御装置において、前記決定部により決定された前記パラメータの値に基づいて、前記通信装置と前記端末装置との通信を管理する端末管理部と、前記通信装置により行われる前記端末装置との通信を制御する通信制御部と、を備える、構成が用いられてもよい。
【００１３】
（７）本発明の一態様は、上記した（１）または上記した（６）のいずれか１つに記載の通信制御装置において、前記パラメータは、前記通信装置と前記端末装置との通信の接続を切断することを判定するために用いられる無通信時間である、構成が用いられてもよい。
【００１４】
（８）本発明の一態様は、上記した（１）または上記した（７）のいずれか１つに記載の通信制御装置において、当該通信制御装置は、前記通信装置と一体である、構成が用いられてもよい。
【００１５】
（９）上記の課題を解決するために、本発明の一態様に係る通信システムは、端末装置と、通信装置と、前記通信装置と一体または別体の通信制御装置を有し、前記通信制御装置は、前記通信装置と前記端末装置との通信の接続を切断することを判定するために用いられるパラメータについて、前記通信装置と前記端末装置との間で通信される信号に基づいて、前記パラメータの現状の値から変更した値について期待される通信トラヒック量を演算し、演算された前記期待される通信トラヒック量に基づいて、前記パラメータの値を決定する。
【００１６】
（１０）上記の課題を解決するために、本発明の一態様に係る通信制御方法は、通信装置と端末装置との通信の接続を切断することを判定するために用いられるパラメータについて、前記通信装置と前記端末装置との間で通信される信号に基づいて、前記パラメータの現状の値から変更した値について期待される通信トラヒック量を演算し、演算された前記期待される通信トラヒック量に基づいて、前記パラメータの値を決定する。
【００１７】
（１１）上記の課題を解決するために、本発明の一態様に係る通信制御プログラムは、通信装置と端末装置との通信の接続を切断することを判定するために用いられるパラメータについて、前記通信装置と前記端末装置との間で通信される信号に基づいて、前記パラメータの現状の値から変更した値について期待される通信トラヒック量を演算し、演算された前記期待される通信トラヒック量に基づいて、前記パラメータの値を決定するステップ、をコンピュータに実行させるためのプログラムである。
【発明の効果】
【００１８】
本発明によれば、端末装置のアクティブ状態の判定を効果的に行うことができる。
【図面の簡単な説明】
【００１９】
【図１】本発明の一実施形態に係る通信システムの概略的な構成を示す図である。
【図２】本発明の一実施形態に係るＡＰ装置の概略的な構成を示す機能ブロック図である。
【図３】本発明の一実施形態に係るＡＰ装置と端末装置との通信接続のシーケンスの一例を示す図である。
【図４】本発明の一実施形態に係るＩｎＡｃｔｉｖｅＴｉｍｅｏｕｔの一例を示す図である。
【図５】本発明の一実施形態に係るＡＰ装置において行われる処理の手順の一例を示す図である。
【図６】本発明の一実施形態に係る現状のＩｎＡｃｔｉｖｅＴｉｍｅｏｕｔの設定値における端末装置のアクティブ状態の時間（アクティブ時間）および通信トラヒック量の一例を示す図である。
【図７】本発明の一実施形態に係る変更したＩｎＡｃｔｉｖｅＴｉｍｅｏｕｔの設定値（現状より小さい値）における端末装置のアクティブ状態の時間（アクティブ時間）および通信トラヒック量の一例を示す図である。
【図８】本発明の一実施形態に係る変更したＩｎＡｃｔｉｖｅＴｉｍｅｏｕｔの設定値（現状より大きい値）における端末装置のアクティブ状態の時間（アクティブ時間）および通信トラヒック量の一例を示す図である。
【発明を実施するための形態】
【００２０】
以下、図面を参照し、本発明の実施形態について説明する。
図１は、本発明の一実施形態に係る通信システム１の概略的な構成を示す図である。
本実施形態に係る通信システム１は、携帯電話システムのセルラーの基地局装置１１と、所定の範囲をカバーするアクセスポイント装置（ＡＰ装置）１２と、スマートフォンを含む携帯電話端末装置である複数の端末装置（ＳＴＡ）３１−１〜３１−４、３２−１〜３２−３を備える。ＡＰ装置１２は、本実施形態では、Ｗｉ−Ｆｉのシステムの装置であり、他のシステムの装置であってもよい。
図１の例では、すべての端末装置３１−１〜３１−４、３２−１〜３２−３が、基地局装置１１の通信領域２１に存在して、基地局装置１１との間で無線により通信することが可能である。また、一部の端末装置３１−１〜３１−４は、ＡＰ装置１２の通信領域２２に存在して、ＡＰ装置１２との間で無線により通信することが可能である。
【００２１】
ここで、本実施形態では、ＡＰ装置１２により通信領域２２に存在する端末装置３１−１〜３１−４を管理する構成を説明する。これに関し、同様な構成を、基地局装置１１により通信領域２１に存在する端末装置３１−１〜３１−４、３２−１〜３２−３を管理する構成に適用することも可能である。つまり、以下で説明するＡＰ装置１２と同様な機能を基地局装置１１に適用することも可能である。
【００２２】
図２において、記憶部１０１は、メモリを有し、プログラムなどの各種の情報をメモリの領域に記憶する。
通信部１０２は、各端末装置３１−１〜３１−４との間で無線により信号を通信する。また、通信部１０２は、例えば、他のＡＰ装置や、上位の装置（上位装置）などとの間で、有線または無線の回線を介して、信号を通信してもよい。
制御部１０３は、例えば、ＣＰＵ（Ｃｅｎｔｒａｌ  Ｐｒｏｃｅｓｓｉｎｇ  Ｕｎｉｔ）を有し、ＡＰ装置１２における各種の処理や制御を実行する。
【００２３】
信号取得部１２１は、自装置（ＡＰ装置１２）と端末装置３１−１〜３１−４との間で無線により通信される信号（本実施形態では、無線のフレーム）をキャプチャ（取得）する。例えば、信号取得部１２１は、通信部１０２により行われる無線信号の送信および受信を監視して、送信および受信が行われる信号を取得する。信号取得部１２１は、取得した信号の情報（本実施形態では、無線のフレームの情報）を記憶部１０１に記憶する。
ここで、信号取得部１２１は、例えば、自装置（ＡＰ装置１２）により通信される信号のみをキャプチャしてもよく、または、自装置を含めてすべての装置により通信される信号（キャプチャが可能な信号）をキャプチャしてもよい。
【００２４】
設定時間決定部１２２は、所定のパラメータ（時間に関するパラメータ）について、信号取得部１２１により取得された信号の情報に基づいて、端末装置３１−１〜３１−４に対して設定する時間（設定値）を決定する。ここで、所定のパラメータは、本実施形態では、ＩｎＡｃｔｉｖｅＴｉｍｅｏｕｔの時間（設定値）である。
【００２５】
端末管理部１２３は、設定時間決定部１２２により決定された設定時間に基づいて、端末装置３１−１〜３１−４を管理する。これに関し、本実施形態では、端末管理部１２３は、端末装置３１−１〜３１−４がアクティブ状態であるか否かを管理する。なお、端末管理部１２３は、他の様々な事項について、端末装置３１−１〜３１−４を管理してもよい。
通信制御部１２４は、端末管理部１２３により管理される情報に基づいて、通信部１０２により端末装置３１−１〜３１−４との間で行われる無線通信を制御する。
【００２６】
図３の通信接続のシーケンスは、非特許文献１に記載されたＷｉ−Ｆｉの接続のシーケンスと同様である。図３の例では、ＡＰ装置１２と１個の端末装置３１−１との間で行われる通信接続のシーケンスの処理を示すが、他の端末装置（例えば、端末装置３１−２〜３１−４）についても同様である。
【００２７】
なお、ＡＰ装置１２と端末装置３１−１との通信接続が切断されてから所定の時間（例えば、１分間など）は、当該端末装置３１−１に関する情報（履歴情報）がＡＰ装置１２により有効に保持される。このため、端末装置３１−１は、ＡＰ装置１２との通信接続が切断されてから当該所定の時間は、再び接続を希望する場合には、リアソシエーションリクエスト（ＲｅＡｓｓｏｃｉａｔｉｏｎ  Ｒｅｑｕｅｓｔ）の信号をＡＰ装置１２に対して無線により送信する。
このリアソシエーションリクエストの信号を受信すると、ＡＰ装置１２は、リアソシエーションレスポンス（ＲｅＡｓｓｏｃｉａｔｉｏｎ  Ｒｅｓｐｏｎｓｅ）の信号を端末装置３１−１に対して無線により送信する。
【００２８】
端末装置３１−１とＡＰ装置１２は、図３に示される信号のやり取り（または、リアソシエーションリクエストおよびリアソシエーションレスポンスの信号のやり取り）を完了した後に、データの通信を開始する。この際、ＡＰ装置１２は、端末管理部１２３により、端末装置３１−１をアクティブ状態の端末装置として管理する。また、ＡＰ装置１２は、端末管理部１２３により、現状におけるアクティブ状態の端末装置３１−１〜３１−４の数を管理し、当該数が上限値（接続可能な最大の数）に達した場合には、新たな端末装置を接続させないように制御する。具体的には、ＡＰ装置１２は、新たな端末装置から送信された信号（本例では、プローブリクエストの信号、オーセンティケーションの信号、アソシエーションリクエストの信号、またはリアソシエーションリクエストの信号）が到来しても、当該信号に対する応答の信号（本例では、プローブレスポンスの信号、オーセンティケーションの信号、アソシエーションレスポンスの信号、またはリアソシエーションレスポンスの信号）を送信しないことで、新たな端末装置を接続させないようにする。
【００２９】
ここで、ＡＰ装置１２において管理するアクティブ状態の端末装置３１−１〜３１−４の数の上限値は、例えば、主にハードウェア（Ｈ／Ｗ）の性能により設定される。
一例として、この上限値は、それぞれのＡＰ装置ごとに設定されてもよい。
他の一例として、この上限値は、複数のＡＰ装置を収容する上位の装置（例えば、認証サーバ装置）ごとに設定されてもよい。この場合、この上限値は、これら複数のＡＰ装置で管理される端末装置の数の合計に対する上限値となる。
【００３０】
図４に示されるグラフにおいて、横軸はＡＰ装置１２と端末装置（本例では、端末装置３１−１とする）とが通信接続してからの経過時間［秒］を表し、縦軸はＡＰ装置１２と端末装置３１−１との間の通信のトラヒックの量（通信トラヒック量）［ｂｙｔｅ］を表す。
【００３１】
本実施形態では、この経過時間［秒］の開始時点（開始時刻）として、アソシエーションレスポンスやリアソシエーションレスポンスの信号が通信（例えば、送信）される時点が用いられるが、他の時点が用いられてもよい。
また、本実施形態では、通信接続の終了時点（終了時刻）として、ＩｎＡｃｔｉｖｅＴｉｍｅｏｕｔが経過する時点、および、ＡＰ装置１２から端末装置３１−１に対してディアソシエーションやディオーセンティケーションなどの信号を送信することで、当該端末装置３１−１をアクティブ状態から解放する場合に、当該端末装置３１−１が当該信号を受信する時点が用いられるが、他の時点が用いられてもよい。
【００３２】
ここで、トラヒックとしては、例えば、ＡＰ装置１２と端末装置３１−１との間で通信（送信および受信）される信号のトラヒックが用いられる。本実施形態では、トラヒックとして、ＡＰ装置１２から端末装置３１−１へ伝送される信号と、端末装置３１−１からＡＰ装置１２へ伝送される信号の両方のトラヒックが用いられるが、トラヒックとして、ＡＰ装置１２から端末装置３１−１へ伝送される信号のトラヒック（のみ）が用いられてもよく、または、端末装置３１−１からＡＰ装置１２へ伝送される信号のトラヒック（のみ）が用いられてもよい。
【００３３】
ＡＰ装置１２は、端末管理部１２３により、自装置（当該ＡＰ装置１２）と端末装置３１−１との間で無線のフレームを通信するタイミング（送信するタイミング、または、受信するタイミングのうちの一方または両方）を契機としてタイマの計時を初期値（例えば、ゼロ）に設定して当該初期値から動作させる。つまり、ＡＰ装置１２は、当該端末装置３１−１との間でフレームを通信するたび（トラヒックが発生するたび）にタイマの値を初期値にリセット（設定）して再び計時を開始する。
【００３４】
例えば所定のタイミング（一例として、一定周期のタイミング）で、ＡＰ装置１２は、端末管理部１２３により、当該タイマにより計時された値（無通信時間の値）がＩｎＡｃｔｉｖｅＴｉｍｅｏｕｔの設定値を超えたか否かを判定する。
この結果、ＡＰ装置１２は、端末管理部１２３により、当該タイマにより計時された値がＩｎＡｃｔｉｖｅＴｉｍｅｏｕｔの設定値を超えたと判定した場合には、当該端末装置３１−１はデータの通信をしていないと判定し、当該端末装置３１−１をアクティブ状態から解放する（通信の接続を切断する）。ＡＰ装置１２は、例えば、端末管理部１２３により制御される通信制御部１２４により、当該端末装置３１−１に対してディアソシエーションやディオーセンティケーションなどの信号を送信することで、当該端末装置３１−１をアクティブ状態から解放する。
【００３５】
一方、ＡＰ装置１２は、端末管理部１２３により、当該タイマにより計時された値がＩｎＡｃｔｉｖｅＴｉｍｅｏｕｔの設定値以下であると判定した場合には、当該端末装置３１−１をアクティブ状態のまま管理し続ける。但し、ＩｎＡｃｔｉｖｅＴｉｍｅｏｕｔ以外の理由により通信接続を終了（例えば、強制終了）する場合には、ＡＰ装置１２は、端末装置３１−１に対してディアソシエーションやディオーセンティケーションなどの信号を送信することで、当該端末装置３１−１をアクティブ状態から解放する。
図４の例では、ＩｎＡｃｔｉｖｅＴｉｍｅｏｕｔの設定値は１８０秒である。図４の例では、ＡＰ装置１２と端末装置３１−１とが通信接続してから、無通信時間がＩｎＡｃｔｉｖｅＴｉｍｅｏｕｔの設定値を超えたときまで、当該端末装置３１−１はアクティブ状態である。
【００３６】
図５を参照して、ＡＰ装置１２において端末装置（本例では、端末装置３１−１とする）との通信におけるＩｎＡｃｔｉｖｅＴｉｍｅｏｕｔの設定値を決定する処理の一例を説明する。
【００３７】
（ステップＳ１）
ＡＰ装置１２において、信号取得部１２１により、信号（本実施形態では、無線のフレーム）をキャプチャする。本例では、信号取得部１２１は、ＡＰ装置１２と端末装置３１−１との間で通信される信号をキャプチャする。
【００３８】
（ステップＳ２）
ＡＰ装置１２において、設定時間決定部１２２により、信号取得部１２１により取得された信号に基づいて、当該ＡＰ装置１２に関して、所定のＳＴＡ増加率の上限を演算（算出）する。
ここで、本実施形態では、ＳＴＡ増加率の上限として、ＡＰ装置１２との新規な接続を希望するがアクティブ状態の端末装置３１−１〜３１−４が多いために接続できない端末装置に関する情報を用いており、より具体的には、ＡＰ装置１２との接続が成功した端末装置の数およびＡＰ装置１２との接続を拒絶された端末装置の数に関する情報を用いる。
【００３９】
ＳＴＡ増加率の上限の演算について説明する。
設定時間決定部１２２は、ＳＴＡ増加率の上限の演算を、所定の信号について行う。
この所定の信号として、本実施形態では、端末装置３１−１からのプローブリクエストおよびそれに対するＡＰ装置１２からのプローブレスポンスの信号、端末装置３１−１からのオーセンティケーションおよびそれに対するＡＰ装置１２からのオーセンティケーションの信号、または、端末装置３１−１からのアソシエーションリクエスト（例えば、リアソシエーションリクエストも含む）およびそれに対するＡＰ装置１２からのアソシエーションレスポンス（例えば、リアソシエーションレスポンスも含む）の信号のうちの１個の種類の信号、または２個以上の種類の信号を用いる。
【００４０】
例えば、設定時間決定部１２２は、ＳＴＡ増加率の上限の演算を１個の種類の信号について行い、これにより演算されたＳＴＡ増加率の上限を（最終的な）ＳＴＡ増加率の上限として取得する。または、設定時間決定部１２２は、ＳＴＡ増加率の上限の演算を２個以上の種類の信号について行い、これら２個以上の種類の信号について演算されたＳＴＡ増加率の上限（信号の種類ごとのＳＴＡ増加率の上限）について、これら複数のＳＴＡ増加率の上限の平均値などを（最終的な）ＳＴＡ増加率の上限として取得することや、または、これら複数のＳＴＡ増加率の上限のうちから所定の条件（例えば、あらかじめ定められた条件）で１個のＳＴＡ増加率の上限を選択して（最終的な）ＳＴＡ増加率の上限として取得すること、などを行う。
【００４１】
本実施形態では、各種類の信号（１個の種類の信号）について、ＳＴＡ増加率の上限を式（１）により演算する。
【００４２】
［数１］
ＳＴＡ増加率の上限＝（Ａ＋Ｂ）／Ｃ
信号ａ１：所定の１種類の信号について端末装置からＡＰ装置に送信される信号であり、具体例として、プローブリクエスト、オーセンティケーション、アソシエーションリクエストまたはリアソシエーションリクエストのうちの１種類の信号
信号ａ２：所定の１種類の信号についてＡＰ装置から端末装置に送信（応答）される信号であり、具体例として、プローブレスポンス、オーセンティケーション、アソシエーションレスポンスまたはリアソシエーションレスポンスのうちの１種類の信号
Ａ＝端末装置からの信号ａ１に対してＡＰ装置が信号ａ２を送信した端末装置の数
Ｂ＝端末装置からの信号ａ１に対してＡＰ装置が信号ａ２を送信しなかった（例えば、判定により無視した）端末装置の数
Ｃ＝Ａ  ・・（１）
【００４３】
（ステップＳ３）
ＡＰ装置１２において、設定時間決定部１２２により、信号取得部１２１により取得された信号に基づいて、現状のＩｎＡｃｔｉｖｅＴｉｍｅｏｕｔの設定値に対する所定の指標を演算（算出）する。
ここで、本実施形態では、設定時間決定部１２２は、ＡＰ装置１２と端末装置３１−１との通信ごとに所定の指標を演算し、具体的には、ＡＰ装置１２と端末装置３１−１との間で通信される信号に含まれる当該端末装置３１−１の識別情報（例えば、ＭＡＣアドレス）が同一のものごとに所定の指標を演算する。
所定の指標としては、端末装置３１−１のアクティブ状態の時間（アクティブ時間）と、端末装置３１−１のアクティブ時間における通信トラヒック量が用いられる。
【００４４】
所定の指標について説明する。
図６に示されるグラフにおいて、横軸はＡＰ装置１２と端末装置（本例では、端末装置３１−１とする）とが通信接続してからの経過時間［秒］を表し、縦軸はＡＰ装置１２と端末装置３１−１との間の通信のトラヒックの量（通信トラヒック量）［ｂｙｔｅ］を表す。
【００４５】
本例では、所定の指標である端末装置３１−１のアクティブ状態の時間（アクティブ時間）は、ＡＰ装置１２と端末装置３１−１との通信の開始時刻から終了時刻までの時間である。
また、本例では、所定の指標である端末装置３１−１のアクティブ時間における通信トラヒック量として、端末装置３１−１のアクティブ時間におけるすべての通信トラヒック量の総量が用いられる。
【００４６】
ここで、本実施形態では、（例えば、現状のＩｎＡｃｔｉｖｅＴｉｍｅｏｕｔの設定値における）過去の情報（例えば、経過時間と通信トラヒック量との関係）に基づいて、より良好であると推定されるＩｎＡｃｔｉｖｅＴｉｍｅｏｕｔの設定値を決定する。この過去の情報としては、様々な時間だけ遡った過去の情報が用いられてもよく、例えば、前回の通信接続が継続した時間分の過去の情報が用いられてもよく、または、所定の時間だけ遡った時点から所定の時点（例えば、現在の時点、または、前回の通信接続の終了時点など）までの時間分の過去の情報が用いられてもよい。
【００４７】
（ステップＳ４）
ＡＰ装置１２において、設定時間決定部１２２により、信号取得部１２１により取得された信号に基づいて、所定の数の（仮想的に）変更したＩｎＡｃｔｉｖｅＴｉｍｅｏｕｔの設定値に対する所定の指標を演算（算出）する。
ここで、所定の指標値は、（ステップＳ３）の処理におけるものと同じである。
また、所定の数の変更したＩｎＡｃｔｉｖｅＴｉｍｅｏｕｔの設定値の数としては、任意の数が用いられてもよい。
また、それぞれの変更したＩｎＡｃｔｉｖｅＴｉｍｅｏｕｔの設定値としては、様々な値が用いられてもよく、例えば、現状の設定値より小さい値、および、現状の設定値より大きい値が用いられる。
【００４８】
図７は、本発明の一実施形態に係る変更したＩｎＡｃｔｉｖｅＴｉｍｅｏｕｔの設定値（現状より小さい値）における端末装置３１−１のアクティブ状態の時間（アクティブ時間）および通信トラヒック量の一例を示す図である。
図７に示されるグラフにおいて、横軸はＡＰ装置１２と端末装置（本例では、端末装置３１−１とする）とが通信接続してからの経過時間［秒］を表し、縦軸はＡＰ装置１２と端末装置３１−１との間の通信のトラヒックの量（通信トラヒック量）［ｂｙｔｅ］を表す。
【００４９】
所定の指標である端末装置３１−１のアクティブ状態の時間（アクティブ時間）は、ＡＰ装置１２と端末装置３１−１との通信（トラヒック）の状況により定まり、本例では、図６に示される現状のＩｎＡｃｔｉｖｅＴｉｍｅｏｕｔの設定値の場合におけるアクティブ時間よりも短い。
また、所定の指標である端末装置３１−１のアクティブ時間における通信トラヒック量として、端末装置３１−１のアクティブ時間におけるすべての通信トラヒック量の総量が用いられ、本例では、図６に示される現状のＩｎＡｃｔｉｖｅＴｉｍｅｏｕｔの設定値の場合における通信トラヒック量よりも少ない。
【００５０】
図８は、本発明の一実施形態に係る変更したＩｎＡｃｔｉｖｅＴｉｍｅｏｕｔの設定値（現状より大きい値）における端末装置３１−１のアクティブ状態の時間（アクティブ時間）および通信トラヒック量の一例を示す図である。
図８に示されるグラフにおいて、横軸はＡＰ装置１２と端末装置（本例では、端末装置３１−１とする）とが通信接続してからの経過時間［秒］を表し、縦軸はＡＰ装置１２と端末装置３１−１との間の通信のトラヒックの量（通信トラヒック量）［ｂｙｔｅ］を表す。
図８に示される経過時間と通信トラヒック量との関係は、図４、図６および図７に示されるものと同じ例であるが、さらに後続する経過時間における通信トラヒック量も示してある。つまり、図８の例では、ＩｎＡｃｔｉｖｅＴｉｍｅｏｕｔの設定値を大きくする場合について検討（分析）することから、より後続の経過時間における通信トラヒック量の状態を考慮している。図４、図６および図７の例においても、より後続の経過時間における通信トラヒック量が存在し得る（本例では、存在する）が、これを考慮してもしなくても、端末装置３１−１のアクティブ時間は同じである。
【００５１】
また、図８の例では、ＡＰ装置１２と端末装置３１−１との通信接続が、図８における開始時刻から開始して、いったん切断（例えば、ＩｎＡｃｔｉｖｅＴｉｍｅｏｕｔによる切断、または、強制切断）されている。その後、ＡＰ装置１２と端末装置３１−１とは、図３に示される信号（プローブ、オーセンティケーションおよびアソシエーションの信号）またはリアソシエーションの信号を通信して、再接続し、再び通信トラヒック量が発生している。
【００５２】
所定の指標である端末装置３１−１のアクティブ状態の時間（アクティブ時間）は、ＡＰ装置１２と端末装置３１−１との通信（トラヒック）の状況により定まる。本例では、端末装置３１−１のアクティブ時間は、図４、図６および図７の例と同じ開始時刻から、無通信時間がＩｎＡｃｔｉｖｅＴｉｍｅｏｕｔの設定値となる時刻（図８に示される終了時刻）までの時間から、再接続に要した時間を除いた結果の時間とする。つまり、本例では、端末装置３１−１のアクティブ時間は、図８に示される開始時刻と終了時刻との間の時間から、除外開始時刻と除外終了時刻との間の時間を減算した結果の時間とする。具体的には、図８の例では、端末装置３１−１のアクティブ時間は、開始時刻から除外開始時刻までの時間と、除外終了時刻から終了時刻までの時間とを合計した結果の時間となる。本例では、端末装置３１−１のアクティブ時間は、図６に示される現状のＩｎＡｃｔｉｖｅＴｉｍｅｏｕｔの設定値の場合におけるアクティブ時間よりも長い。
【００５３】
なお、除外開始時刻と、除外終了時刻は、それぞれ、ＡＰ装置１２と端末装置３１−１とが再接続するために通信する信号（図３に示される信号（プローブ、オーセンティケーションおよびアソシエーションの信号）またはリアソシエーションの信号）の通信開始時刻と、その通信終了時刻である。
他の例として、開始時刻から終了時刻（ＩｎＡｃｔｉｖｅＴｉｍｅｏｕｔの設定値となる時刻）までの時間のうちに、２回以上の再接続がある場合には、例えば、これら２回以上のすべての除外開始時刻と除外終了時刻との間の時間を除いて、端末装置３１−１のアクティブ時間を演算する。
【００５４】
ここで、本実施形態では、端末装置３１−１のアクティブ時間を演算するときに、除外開始時刻と除外終了時刻との間の時間を除外する構成としたが、他の構成例として、除外開始時刻と除外終了時刻との間の時間を除外しない構成が用いられてもよい。つまり、例えば、誤差の範囲であるととらえられるような場合には、ＡＰ装置１２と端末装置３１−１とが再接続するために通信する信号の通信時間を、端末装置３１−１のアクティブ時間を演算するときに除かなくてもよく、この構成では、例えば、演算を簡易にすることができる。
【００５５】
また、図８の例では、ＡＰ装置１２と端末装置３１−１との通信がいったん切断されて再接続された後にＩｎＡｃｔｉｖｅＴｉｍｅｏｕｔの設定値（終了時刻）が到来する場合を示したが、変更したＩｎＡｃｔｉｖｅＴｉｍｅｏｕｔの設定値（現状より大きい値）における端末装置３１−１のアクティブ時間を検討（分析）するときに、（例えば、仮想的な状況として）ＡＰ装置１２と端末装置３１−１との通信が途中で切断されずに継続したままＩｎＡｃｔｉｖｅＴｉｍｅｏｕｔの設定値（終了時刻）が到来する場合には、端末装置３１−１のアクティブ時間を演算するときに、特に除外する時間はなくてもよい。
【００５６】
また、所定の指標である端末装置３１−１のアクティブ時間における通信トラヒック量として、端末装置３１−１のアクティブ時間におけるすべての通信トラヒック量の総量が用いられ、本例では、図６に示される現状のＩｎＡｃｔｉｖｅＴｉｍｅｏｕｔの設定値の場合における通信トラヒック量よりも多い。
ここで、本例では、端末装置３１−１のアクティブ時間を演算するときに除外した時間（除外開始時刻と除外終了時刻との間の時間）における通信トラヒック量については、端末装置３１−１のアクティブ時間における通信トラヒック量を演算するときについても、同様に、除外する。
【００５７】
（ステップＳ５）
ＡＰ装置１２において、設定時間決定部１２２により、現状のＩｎＡｃｔｉｖｅＴｉｍｅｏｕｔの設定値に対して、それぞれの変更したＩｎＡｃｔｉｖｅＴｉｍｅｏｕｔの設定値について、所定のアクティブ状態のＳＴＡ数の向上率と、所定の期待通信トラヒック量を演算（算出）する。
【００５８】
本実施形態では、変更したＩｎＡｃｔｉｖｅＴｉｍｅｏｕｔの設定値がＮ（Ｎは０より大きい値）［秒］であるときについて、アクティブ状態のＳＴＡ数の向上率Ｒを、式（２）により演算する。ここで、図６の例では現状のＩｎＡｃｔｉｖｅＴｉｍｅｏｕｔの設定値は１８０［秒］であり、図７の例ではＮ［秒］＝６０［秒］であり、図８の例ではＮ［秒］＝３００［秒］である。
【００５９】
［数２］
Ｒ＝ｍｉｎ（Ｄ，Ｅ）
Ｄ＝Ｄ１／Ｄ２
Ｄ１＝現状のＩｎＡｃｔｉｖｅＴｉｍｅｏｕｔの設定値について、ＡＰ装置に通信接続しているすべての端末装置のアクティブ時間を合計した結果の値
Ｄ２＝変更したＩｎＡｃｔｉｖｅＴｉｍｅｏｕｔの設定値がＮ［秒］であるときについて、ＡＰ装置に通信接続しているすべての端末装置のアクティブ時間を合計した結果の値
Ｅ＝ＳＴＡ増加率の上限
ここで、ｍｉｎ（Ｄ，Ｅ）は、ＤとＥのうちで小さい方の値を取る。
・・（２）
【００６０】
なお、Ｄ１およびＤ２について、「ＡＰ装置に通信接続しているすべての端末装置のアクティブ時間を合計した結果の値」は、本実施形態では、１個のＡＰ装置１２に通信接続しているすべての端末装置３１−１〜３１−４のアクティブ時間を合計した結果の値である。それぞれの変更したＩｎＡｃｔｉｖｅＴｉｍｅｏｕｔの設定値について、それぞれの端末装置３１−１〜３１−４のアクティブ時間は、ステップＳ４の処理で演算される。
【００６１】
また、本実施形態では、式（２）において、Ｒ＝ｍｉｎ（Ｄ，Ｅ）としたが、他の構成例として、Ｒ＝Ｄとされてもよい。
【００６２】
本実施形態では、変更したＩｎＡｃｔｉｖｅＴｉｍｅｏｕｔの設定値がＮ（Ｎは０より大きい値）［秒］であるときについて、期待通信トラヒック量Ｖを、式（３）により演算する。
【００６３】
［数３］
Ｖ＝Ｆ×Ｒ
Ｆ＝変更したＩｎＡｃｔｉｖｅＴｉｍｅｏｕｔの設定値がＮ［秒］であるときについて、ＡＰ装置に通信接続しているすべての端末装置のアクティブ時間における通信トラヒック量を合計した結果の値
・・（３）
【００６４】
なお、Ｆについて、「ＡＰ装置に通信接続しているすべての端末装置のアクティブ時間における通信トラヒック量を合計した結果の値」は、本実施形態では、１個のＡＰ装置１２に接続しているすべての端末装置３１−１〜３１−４のアクティブ時間における通信トラヒック量を合計した結果の値である。それぞれの変更したＩｎＡｃｔｉｖｅＴｉｍｅｏｕｔの設定値について、それぞれの端末装置３１−１〜３１−４のアクティブ時間における通信トラヒック量は、ステップＳ４の処理で演算される。
【００６５】
（ステップＳ６）
ＡＰ装置１２において、設定時間決定部１２２により、現状のＩｎＡｃｔｉｖｅＴｉｍｅｏｕｔの設定値に対してそれぞれの変更したＩｎＡｃｔｉｖｅＴｉｍｅｏｕｔの設定値について演算した期待通信トラヒック量Ｖのうちで、所定の条件にしたがって１個の期待通信トラヒック量Ｖを選択し、選択した期待通信トラヒック量Ｖに対応する変更したＩｎＡｃｔｉｖｅＴｉｍｅｏｕｔの設定値を、ＡＰ装置１２に設定するＩｎＡｃｔｉｖｅＴｉｍｅｏｕｔの設定値（設定時間）として決定する。
【００６６】
ここで、所定の条件としては、一例として、複数の変更したＩｎＡｃｔｉｖｅＴｉｍｅｏｕｔの設定値について演算した期待通信トラヒック量Ｖのうちで、最大となるものを選択する条件が用いられてもよい。所定の条件としては、他の例として、複数の変更したＩｎＡｃｔｉｖｅＴｉｍｅｏｕｔの設定値について演算した期待通信トラヒック量Ｖのうちで、所定の閾値以上となる（または、所定の閾値を超える）もののうちの１つを選択する条件が用いられてもよく、これにより、現状の設定値に対する改善率が良好であるものを選択する。なお、閾値としては、一定の値が用いられてもよく、または、可変な値が用いられてもよい。
【００６７】
そして、ＡＰ装置１２において、端末管理部１２３により、設定時間決定部１２２により決定された設定時間（ＩｎＡｃｔｉｖｅＴｉｍｅｏｕｔの設定値）を設定し、当該設定時間を用いて、端末装置３１−１〜３１−４との通信の接続を管理する。本実施形態では、ＡＰ装置１２ごとに、複数の端末装置３１−１〜３１−４に共通なＩｎＡｃｔｉｖｅＴｉｍｅｏｕｔの設定値を設定して用いる。
また、ＡＰ装置１２において、端末管理部１２３により管理されて、通信制御部１２４により、端末装置３１−１〜３１−４との通信を制御する。
【００６８】
ここで、ＡＰ装置１２において、設定時間決定部１２２により、ＩｎＡｃｔｉｖｅＴｉｍｅｏｕｔの設定値を設定（例えば、変更）するタイミングとしては、様々なタイミングが用いられてもよい。このタイミングとしては、例えば、一定周期のタイミング、ＳＴＡ増加率の上限が所定の閾値以上である（または、所定の閾値を超える）と判定したタイミング、ＳＴＡ増加率の上限が所定の閾値以下である（または、所定の閾値未満である）と判定したタイミング、ＡＰ装置１２により管理している端末装置３１−１〜３１−４の数が所定の閾値以上である（または、所定の閾値を超える）と判定したタイミング、ＡＰ装置１２により管理している端末装置３１−１〜３１−４の数が所定の閾値以下である（または、所定の閾値未満である）と判定したタイミング、または、所定の改善率が所定の閾値以上である（または、所定の閾値を超える）と判定したタイミングのうちの１以上が用いられてもよい。
なお、ＩｎＡｃｔｉｖｅＴｉｍｅｏｕｔの設定値を設定（例えば、変更）するタイミングとして、一定周期のタイミングを用いると、一定周期で最適化を図ることが可能である。また、ＩｎＡｃｔｉｖｅＴｉｍｅｏｕｔの設定値を設定（例えば、変更）する頻度を少なくすることが望まれる場合には、一定周期のタイミング以外のタイミングが用いられるのが好ましいこともある。
【００６９】
また、ＩｎＡｃｔｉｖｅＴｉｍｅｏｕｔの設定値を変更する量としては、様々な量が用いられてもよい。例えば、ＩｎＡｃｔｉｖｅＴｉｍｅｏｕｔの設定値を変更する量として、ランダムな量が用いられてもよく、または、あらかじめ定められた１個以上の量が用いられてもよく、または、あらかじめ定められた規則にしたがって現状の設定値を用いて演算等により決定される１個以上の量が用いられてもよい。
【００７０】
他の構成例として、ＩｎＡｃｔｉｖｅＴｉｍｅｏｕｔの設定値を設定（例えば、変更）することを決定するときに用いられる（仮想的な）ＩｎＡｃｔｉｖｅＴｉｍｅｏｕｔの設定値と、その決定がなされたときに（実際に）設定（例えば、変更）するＩｎＡｃｔｉｖｅＴｉｍｅｏｕｔの設定値として、それぞれ、異なる値が用いられてもよい。一例として、ＩｎＡｃｔｉｖｅＴｉｍｅｏｕｔの設定値を現状の設定値と比べて増加させることまたは減少させることを決定し、ＩｎＡｃｔｉｖｅＴｉｍｅｏｕｔの設定値を増加させることを決定した場合にはＩｎＡｃｔｉｖｅＴｉｍｅｏｕｔの設定値を現状の設定値に対して所定の量（例えば、あらかじめ定められた１段階分の量）だけ増加させ、ＩｎＡｃｔｉｖｅＴｉｍｅｏｕｔの設定値を減少させることを決定した場合にはＩｎＡｃｔｉｖｅＴｉｍｅｏｕｔの設定値を現状の設定値に対して所定の量（例えば、あらかじめ定められた１段階分の量）だけ減少させる。
【００７１】
以上のように、本実施形態に係るＡＰ装置１２では、キャプチャした無線フレームから、端末装置３１−１〜３１−４のアクティブ状態を判定するタイマの設定値（ＩｎＡｃｔｉｖｅＴｉｍｅｏｕｔの設定値）に応じて、端末装置３１−１〜３１−４のアクティブ時間およびアクティブ時間における通信トラヒック量を算出する。また、ＡＰ装置１２では、現状のタイマの設定値にしたがった端末装置３１−１〜３１−４のアクティブ時間の合計を、変更後のタイマの設定値にしたがった端末装置３１−１〜３１−４のアクティブ時間の合計で割った結果を用いて、アクティブ状態の端末数（ＳＴＡ数）の向上率とする。また、ＡＰ装置１２では、アクティブ状態の端末数（ＳＴＡ数）の向上率と変更後のタイマの設定値にしたがった端末装置３１−１〜３１−４のアクティブ時間における通信トラヒック量とを乗じた結果を、変更後のタイマの設定値にしたがった期待通信トラヒック量（システムスループットの推定値）とする。また、ＡＰ装置１２では、期待通信トラック量の計算値が最大等となるタイマの設定値などを選択する。
【００７２】
また、本実施形態に係るＡＰ装置１２では、プローブレスポンス、オーセンティケーション、アソシエーションまたはリアソシエーションのうちの１種類以上について、信号を応答した端末装置の数と、信号を応答しなかった端末装置の数を用いて、端末増加率の上限（ＳＴＡ増加率の上限）を求める。また、ＡＰ装置１２では、現状のタイマの設定値にしたがった端末装置３１−１〜３１−４のアクティブ時間の合計を、変更後のタイマの設定値にしたがった端末装置３１−１〜３１−４のアクティブ時間の合計で割った結果と、端末増加率の上限（ＳＴＡ増加率の上限）とのうちの小さい方を、アクティブ状態の端末数（ＳＴＡ数）の向上率とする。
【００７３】
以上のように、本実施形態に係るＡＰ装置１２によれば、通信の環境に応じたＩｎＡｃｔｉｖｅＴｉｍｅｏｕｔの設定を行うことで、例えば、オフロード効果（例えば、セルラーからＷｉ−Ｆｉへのオフロードの効果）を向上することができ、周波数を有効に利用することができ、無駄な通信の切断をなくすことができる。また、ＡＰ装置１２では、例えば、アクティブ状態の端末装置３１−１〜３１−４の数の上限を上げないことが可能である。
ここで、ＩｎＡｃｔｉｖｅＴｉｍｅｏｕｔの適した値は、周辺環境により異なり、特に、端末装置３１−１〜３１−４の数や端末装置３１−１〜３１−４が移動しているかなどの状況によるが、本実施形態に係るＡＰ装置１２では、無線フレームのキャプチャを行って、システム容量の有効利用を図るＩｎＡｃｔｉｖｅＴｉｍｅｏｕｔの値を求めることができる。
【００７４】
このように、本実施形態に係るＡＰ装置１２では、端末装置３１−１〜３１−４のアクティブ状態の判定を効果的に行うことができる。
例えば、ＡＰ装置１２では、端末装置３１−１〜３１−４のアクティブ状態を判定するタイマの設定値（ＩｎＡｃｔｉｖｅＴｉｍｅｏｕｔの設定値）を調整することで、アクティブ状態でありながら通信していない端末装置３１−１〜３１−４を効率的にアクティブ状態から外すことができる。
【００７５】
ここで、本実施形態では、過去の情報（例えば、経過時間と通信トラヒック量との関係）に基づいて、より良好であると推定されるＩｎＡｃｔｉｖｅＴｉｍｅｏｕｔの設定値を決定する場合に、ＡＰ装置１２に接続されるすべての端末装置（例えば、複数の端末装置３１−１〜３１−４）に関する情報を用いるため、全体的な環境を考慮することができる。他の構成例として、ＡＰ装置１２に接続される１個の端末装置（例えば、端末装置３１−１）に関する情報を用いて、過去の情報（例えば、経過時間と通信トラヒック量との関係）に基づいて、より良好であると推定されるＩｎＡｃｔｉｖｅＴｉｍｅｏｕｔの設定値を決定することも可能である。
【００７６】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００７７】
また、以上に示した実施形態に係る各装置（例えば、ＡＰ装置１２や基地局装置１１や端末装置３１−１〜３１−４、３２−１〜３２−３など）の機能を実現するためのプログラムをコンピュータ読み取り可能な記録媒体に記録して、この記録媒体に記録されたプログラムをコンピュータシステムに読み込ませ、実行することにより、処理を行ってもよい。
【符号の説明】
【００７８】
１…通信システム、１１…基地局装置、１２…ＡＰ装置、２１〜２２…通信領域、３１−１〜３１−４、３２−１〜３２−３…端末装置、１０１…記憶部、１０２…通信部、１０３…制御部、１２１…信号取得部、１２２…設定時間決定部、１２３…端末管理部、１２４…通信制御部
【図１】
2016086303.tif 000003
【図２】
2016086303.tif 000004
【図３】
2016086303.tif 000005
【図４】
2016086303.tif 000006
【図５】
2016086303.tif 000007
【図６】
2016086303.tif 000008
【図７】
2016086303.tif 000009
【図８】
2016086303.tif 000010